(57)【特許請求の範囲】
【請求項１】
フェンスパネルを角形支柱に取り付けるためのフェンスパネル取り付け用金具であって、そのフェンスパネル取り付け用金具は、間隔をおいて対向する一対の側板と各側板の基端部を一体に接続する接続板を備え、前記一対の側板と接続板とにより溝が形成されており、前記各側板の一方又は両方は、前記溝の開口側に向って接近するように略直線状に傾斜する側板とされ、前記溝の開口巾は、角形支柱の横巾寸法よりも僅かに小さくされて、前記一対の側板は、前記側板が前記溝の開口側に向って接近するように略直線状に傾斜した状態を保持したまま、前記角形支柱の対向する周側面板における外側面を線タッチの状態で把持可能にされ、前記各側板の一方又は両方には、側板の先端部から一体に連接されたアーム部を備え、そのアーム部には接合部が設けられていることを特徴とするフェンスパネル取り付け用金具。
【請求項２】
接続板の溝側の内側面は、角形支柱の外側面に面接触可能な平坦面とされていることを特徴とする請求項１に記載のフェンスパネル取り付け用金具。
【請求項３】
前記の側板とアーム部との接続部には、円弧状ガイド部が形成されていることを特徴とする請求項１又は２に記載のフェンスパネル取り付け用金具。
【請求項４】
前記溝の深さは、角形支柱の前後方向の巾寸法よりも小さくされていることを特徴とする請求項１〜３のいずれか１項に記載のフェンスパネル取り付け用金具。
【請求項５】
角形支柱の所定の位置に、請求項１〜３の何れか１項に記載のフェンスパネル取り付け用金具が、そのフェンスパネル取り付け用金具における対向する各側板により、前記角形支柱の対向する周側面板における外側面を押圧して把持するように角形支柱に圧入設置され、角形支柱とフェンスパネルとを挟むようにして、前記フェンスパネル取り付け用金具に対向するように押さえ金具が配置され、フェンスパネル取り付け用金具と押さえ金具とが接合具により接合されて、前記フェンスパネルが取り付けられていることを特徴とするフェンスパネルの取り付け構造。
【請求項６】
角形支柱の所定の位置に、請求項１〜３の何れか１項に記載のフェンスパネル取り付け用金具が、そのフェンスパネル取り付け用金具における対向する各側板により、前記角形支柱の対向する周側面板における外側面を押圧して把持するように角形支柱に圧入することにより、前記一対の側板で前記角形支柱の対向する周側面板における外側面を把持するように、フェンスパネル取り付け用金具を角形支柱に設置した後、角形支柱とフェンスパネルとを挟むようにして、前記フェンスパネル取り付け用金具に対向するように押さえ金具を配置し、フェンスパネル取り付け用金具と押さえ金具とを接合具により接合することで、前記フェンスパネルを取り付けることを特徴とするフェンスパネルの取り付け方法。
【発明の詳細な説明】
【技術分野】
【０００１】
本発明は、フェンスパネルを支柱に取り付けるためのフェンスパネル取り付け用金具及びその金具を用いた取り付け構造並びに取り付け方法に関する。
【背景技術】
【０００２】
従来、フェンスパネルを取り付け金具を介して支柱に取り付ける場合には、フェンスパネルと、受け金具と、押さえ金具と、ボルト又はボルト・ナットを必要とすることから、分品点数が多い取り付け作業になり、一人の作業員により、フェンスパネルを取り付けることが困難であるため、フェンスパネルの道路側及び歩道側に作業員を配置して複数の作業員により取り付け作業を行う場合が多い（例えば、特許文献１参照）。
【０００３】
例えば、図１２に示すように、フェンスパネル１４を角形支柱６に取り付ける場合に、受け金具２６と押さえ金具２８とボルト１６及びナット１７からなる取り付け金具を介して取り付けている。
角形支柱６に線材格子フェンスパネルからなるフェンスパネル１４を取り付ける場合には、角形支柱６のＢ側（片側、以下、単にＢ側ともいう。）に配置され、角形支柱６の対向する周側面板７外面間の巾寸法よりも側板２７間の巾が広い溝付き受け金具２６と、角形支柱６のＦ側（前記片側の反対側、以下、単にＦ側ともう。）に配置される押さえ金具１２と、ボルト１６及びナット１７とを用いて、前記受け金具２６と押さえ金具２８との間にフェンスパネル１４を配置して、ボルト１６とナット１７を締め込むことにより、フェンスパネル１４を角形支柱６に固定するフェンスパネルの取り付け構造が知られている。
【０００４】
前記のようなフェンスパネルの取り付け構造の場合には、角形支柱６を基礎に立設した後、角形支柱６に対してＢ側の受け金具２６を配置すると共に、その受け金具２６のF側にフェンスパネル１４を配置し、Ｆ側に押さえ金具２８を配置した状態で、押さえ金具２８と受け金具２６とに渡ってボルト１６を挿通配置すると共に、ナット１７をねじ込んでいる。これにより、押さえ金具２８と受け金具２６とを角形支柱６に対して把持するようにして固定すると共に、押さえ金具２８と受け金具２６とによりフェンスパネル１の端部を把持固定し、取り付け金具を介して、フェンスパネル１４を角形支柱６に取り付けるようにしている。
【先行技術文献】
【特許文献】
【０００５】
【特許文献１】実開昭５２−１０９３４４号公報
【発明の概要】
【発明が解決しようとする課題】
【０００６】
前記従来の場合は、受け金具２６及び押さえ金具２８の両方とも、角形支柱６に仮止めすることができない形態であるので、受け金具２６と押さえ金具２８とフェンスパネル１４とボルト１６とナット１７の多くの部品を同時に取り扱うことによりフェンスパネル１４を取り付けるようになるため、取り付け作業が煩雑になるという問題があった。
そのため、よりフェンスパネルの取り付け作業が容易になるような金具及びフェンスパネルの取り付け構造及びフェンスパネルの取り付け方法が望まれていた。
本発明は、前記の問題を有利に解決し、従来の場合よりフェンスパネルの取り付け作業が容易になるフェンスパネル取り付け用金具及び取り付け構造及び取り付け方法を提供することを目的とする。
【課題を解決するための手段】
【０００７】
第１発明のフェンスパネル取り付け用金具においては、フェンスパネルを角形支柱に取り付けるためのフェンスパネル取り付け用金具であって、そのフェンスパネル取り付け用金具は、間隔をおいて対向する一対の側板と各側板の基端部を一体に接続する接続板を備え、前記一対の側板と接続板とにより溝が形成されており、前記各側板の一方又は両方は、前記溝の開口側に向って接近するように略直線状に傾斜する側板とされ、前記溝の開口巾は、角形支柱の横巾寸法よりも僅かに小さくされて、前記一対の側板は、前記側板が前記溝の開口側に向って接近するように略直線状に傾斜した状態を保持したまま、前記角形支柱の対向する外側面を線タッチの状態で把持可能にされ、前記各側板の一方又は両方には、側板の先端部から一体に連接されたアーム部を備え、そのアーム部には接合部が設けられていることを特徴とする。
第２発明では、第１発明のフェンスパネル取り付け用金具において、接続板の溝側の内側面は、角形支柱の外側面に面接触可能な平坦面とされていることを特徴とする。
第３発明では、第１発明又は第２発明のフェンスパネル取り付け用金具において、前記の側板とアーム部との接続部には、円弧状ガイド部が形成されていることを特徴とする。
第４発明では、第１発明〜第３発明のいずれかに記載のフェンスパネル取り付け用金具において、前記溝の深さは、角形支柱の前後方向の巾寸法よりも小さくされていることを特徴とする。
第５発明では、角形支柱の所定の位置に、第１発明〜第３発明のいずれかのフェンスパネル取り付け用金具が、そのフェンスパネル取り付け用金具における対向する各側板により、前記角形支柱の対向する周側面板における外側面を押圧して把持するように角形支柱に圧入設置され、角形支柱とフェンスパネルとを挟むようにして、前記フェンスパネル取り付け用金具に対向するように押さえ金具が配置され、フェンスパネル取り付け用金具と押さえ金具とが接合具により接合されて、前記フェンスパネルが取り付けられていることを特徴とする。
第６発明のフェンスパネルの取り付け方法では、角形支柱の所定の位置に、請求項１〜３の何れか１項に記載のフェンスパネル取り付け用金具が、そのフェンスパネル取り付け用金具における対向する各側板により、前記角形支柱の対向する周側面板における外側面を押圧して把持するように角形支柱に圧入することにより、前記一対の側板で前記角形支柱の対向する周側面板における外側面を把持するように、フェンスパネル取り付け用金具を角形支柱に設置した後、角形支柱とフェンスパネルとを挟むようにして、前記フェンスパネル取り付け用金具に対向するように押さえ金具を配置し、フェンスパネル取り付け用金具と押さえ金具とを接合具により接合することで、前記フェンスパネルを取り付けることを特徴とする。
【発明の効果】
【０００８】
第１発明によると、フェンスパネルを角形支柱に取り付けるためのフェンスパネル取り付け用金具であって、そのフェンスパネル取り付け用金具は、間隔をおいて対向する一対の側板と各側板の基端部を一体に接続する接続板を備え、前記一対の側板と接続板とにより溝が形成されており、前記各側板の一方又は両方は、前記溝の開口側に向って接近するように傾斜する側板とされ、前記溝の開口巾は、角形支柱の横巾寸法よりも僅かに小さくされて、前記一対の側板で前記角形支柱の対向する外側面を把持可能にされ、前記各側板の一方又は両方には、側板の先端部から一体に連接されたアーム部を備え、そのアーム部には接合部が設けられているので、角形支柱を弾性的に把持するようにフェンスパネル取り付け用金具を正確な位置に設置することができ、また、角形支柱にフェンスパネル取り付け用金具を取り付ける場合に、角形支柱に対して、フェンスパネル取り付け用金具が回動するのを防止でき、さらにフェンスパネルをフェンスパネル取り付け用金具に支承させるように配設することができるために、フェンスパネルを正確な位置に取り付けることができる等の効果が得られる。
また、フェンスを組立又は分解する場合に、フェンスパネル取り付け用金具によりフェンスパネルが角形支柱のフェンスパネル取り付け用金具側に傾倒するのを防止して支承することができるため、フェンスパネルの前後方向の位置決め作業も容易になる等の効果が得られる。
第２発明によると、第１発明のフェンスパネル取り付け用金具において、接続板の溝側の内側面は、角形支柱の外側面に面接触可能な平坦面とされているので、角形支柱に対して、フェンスパネル取り付け用金具を設置する場合に、接続板をストッパとして機能させて、フェンスパネル取り付け用金具の角形支柱に対する前後方向の位置を正確に位置決めして設置することができ、また、接続板の内側の平坦面を角形支柱における周側面板の外側面に面接触させて、フェンスパネル取り付け用金具が角形支柱に対して回動するような動きを防止することができる等の効果が得られる。
第３発明によると、第１発明又は第２発明のフェンスパネル取り付け用金具において、前記の側板とアーム部との接続部には、円弧状ガイド部が形成されているので、フェンスパネル取り付け用金具を角形支柱に対して押圧して圧入するように嵌合させる場合に、フェンスパネル取り付け用金具の側板をガイドしながら拡開させることができ、また、角形支柱の外面に傷がつくのを防止することができる等の効果が得られる。
第４発明によると、第１発明〜第３発明のいずれかに記載のフェンスパネル取り付け用金具において、前記溝の深さは、角形支柱の前後方向の巾寸法よりも小さくされているので、角形支柱の前後方向の巾寸法がフェンスパネル取り付け用金具の溝深さ寸法よりも大きい場合に、フェンスパネル取り付け用金具の各側板の先端部により角形支柱における周側面板の外側面に確実に係合させることができる等の効果が得られる。
第５発明によると、角形支柱の所定の位置に、第１発明〜第３発明のいずれかのフェンスパネル取り付け用金具が、そのフェンスパネル取り付け用金具における対向する各側板により、前記角形支柱の対向する周側面板における外側面を押圧して把持するように角形支柱に圧入設置され、角形支柱とフェンスパネルとを挟むようにして、前記フェンスパネル取り付け用金具に対向するように押さえ金具が配置され、フェンスパネル取り付け用金具と押さえ金具とが接合具により接合されて、前記フェンスパネルが取り付けられるようにしたので、フェンスパネルをフェンスパネル取り付け用金具に対して正確に配置して確実に接合具により取り付けることができ、また、設置後に分解する場合に接合具を取り外しても、フェンスパネル取り付け用金具が角形支柱に保持されているため、フェンスパネルが角形支柱のフェンスパネル取り付け用金具側に傾倒するのを防止することができる等の効果が得られる。
第６発明によると、角形支柱の所定の位置に、第１発明〜第３発明の何れかのフェンスパネル取り付け用金具における各側板が、前記角形支柱の対向する外側面を把持するように、フェンスパネル取り付け用金具を角形支柱に設置した後、前記フェンスパネル取り付け用金具の接合部の片面にフェンスパネル及び押さえ金具を順次設け、前記接合部と押さえ金具とを接合具により、前記フェンスパネルを把持するようにしたので、角形支柱を弾性的に把持するようにフェンスパネル取り付け用金具を正確な位置に設置することができ、その分、その後の現場作業員による部品取り扱い数を少なくすることができ、また、角形支柱にフェンスパネル取り付け用金具を取り付ける場合に、角形支柱に対して、フェンスパネル取り付け用金具が回動するのを防止でき、さらにフェンスパネルをフェンスパネル取り付け用金具に支承させるように配設することができるために、フェンスパネルを正確な位置に取り付けることができ、接合具による接合作業も容易になる等の効果が得られる。
また、フェンスパネル取り付け用金具によりフェンスパネルが角形支柱のフェンスパネル取り付け用金具側に傾倒するのを防止して支承することができるため、フェンスパネルの前後方向の位置決め作業も容易になる等の効果が得られる。
【図面の簡単な説明】
【０００９】
【図１】一実施形態のフェンスパネル取り付け用金具を用いてフェンスパネルを取り付ける工程を示すものであって、（ａ）はフェンスパネル取り付け金具を角形支柱にこれを把持するように設置した状態を示す平面図、（ｂ）は（ａ）の正面図、（ｃ）は（ｂ）の側面図である。
【図２】図１に示す一実施形態のフェンスパネル取り付け用金具を用いてフェンスパネルを取り付ける工程を示すものであって、図１の状態から、（ａ）はフェンスパネル取り付け用金具にフェンスパネルを当接させた状態を示す一部横断平面図、（ｂ）は（ａ）の正面図、（ｃ）は（ｂ）の一部縦断側面図である。
【図３】一実施形態のフェンスパネル取り付け用金具を用いてフェンスパネルを取り付ける工程を示すものであって、図２の状態から、（ａ）は押さえ金具を配置すると共にボルト・ナットによりフェンスパネルを取り付けた状態を示す一部横断平面図、（ｂ）は（ａ）の正面図、（ｃ）は（ｂ）の一部縦断側面図である。
【図４】一実施形態のフェンスパネル取り付け用金具を示すものであって、（ａ）は一部横断平面図、（ｂ）は正面図、（ｃ）は側面図である。
【図５】（ａ）は他の実施形態のフェンスパネル取り付け用金具を用いてフェンスパネルを取り付けた状態を示す一部横断平面図、（ｂ）は（ａ）の正面図、（ｃ）は（ｂ）の一部縦断側面図である。
【図６】他の実施形態のフェンスパネル取り付け用金具を示すものであって、（ａ）は一部横断平面図、（ｂ）は正面図、（ｃ）は側面図である。
【図７】（ａ）はさらに他の実施形態のフェンスパネル取り付け用金具を用いてフェンスパネルを取り付けた状態を示す一部横断平面図、（ｂ）は（ａ）の正面図、（ｃ）は（ｂ）の一部縦断側面図である。
【図８】上部に胴縁が形成されている形態のフェンスパネルの場合に、胴縁を角形支柱に取り付け金具を介して取り付ける形態を示すものであって、（ａ）は平面図、（ｂ）は正面図、（ｃ）は一部縦断側面図である。
【図９】本発明のフェンスパネル取り付け用金具を用いてフェンスパネルを取り付けたフェンスを示す正面図である。
【図１０】図９の一部を拡大して示す正面図である。
【図１１】フェンスパネルを角形支柱のＦ側に配置する場合のフェンスパネル取り付け用金具を用いてフェンスパネルを取り付けたフェンスを示すものであって、（ａ）は一部横断平面図、（ｂ）は（ａ）の正面図、（ｃ）は（ｂ）の一部縦断側面図である。
【図１２】従来のフェンスパネル取り付け用金具を用いてフェンスパネルを取り付けたフェンスの一例を示すものであって、（ａ）は一部横断平面図、（ｂ）は（ａ）の正面図、（ｃ）は（ｂ）の一部縦断側側面図である。
【発明を実施するための形態】
【００１０】
次に、本発明を図示の実施形態に基づいて詳細に説明する。
【００１１】
先ず、本発明において用いられるフェンスパネル取り付け用金具１について説明する。図４には、本発明の一実施形態のフェンスパネル取り付け用金具１が示されている。
図示のフェンスパネル取り付け用金具１は、間隔をおいて対向する一対の側板２と各側板２の基端部を一体に接続する接続板３を備え、前記一対の側板２と接続板３とにより溝４が形成されている。フェンスパネル取り付け用金具１は、帯状鋼板が折り曲げ加工されると共に穴明け加工がされて、形成されている。
【００１２】
間隔をおいて対向する前記各側板２の一方又は両方（図示の場合）は、前記溝４の開口部５に向って接近するように傾斜する側板２とされ、前記溝４の開口巾Ｗは、鋼製角パイプからなる角形支柱６の横巾寸法Ｗ１よりも僅かに小さくされて、前記角形支柱６の左右両側の対向する周側面板７における外側面を把持可能にされ、前記各側板２の一方又は両方（図示の場合）には、側板２の先端部から一体に連接されたアーム部８を備え、そのアーム部８には接合部9が形成されている。
前記の溝４の深さ寸法は、フェンスパネル１４を角形支柱の左右の一方又は両方の側面に配置する場合には、角形支柱６の前後方向の巾寸法よりも小さい寸法、好ましくは、角形支柱６における前後方向の寸法から、角形支柱６におけるコーナー部の円弧状部の半径寸法を引いた寸法よりも、小さい寸法とされる。
なお、角形支柱６のＦ側にフェンスパネル１４を配置する場合には、前記の溝４の深さ寸法は、角形支柱６の前後方向の巾寸法とフェンスパネル１４の厚さ寸法を合わせた値よりも小さい寸法とされる。
【００１３】
前記の各側板２は、接続板３側の基端部を中心として弾性変形可能にされて、開口部５側が拡開変形可能にされている。
【００１４】
前記のアーム部８には、それぞれボルト挿通用長孔等からなる接合部9が形成されている。前記の接合部9は、雌ねじ孔であってもよい。
また、接合部９におこなう接合方法は、ボルトによる接合以外に鋼製等の接合用クリップを用いたクリップ式接合や、アーム部８の端部を折り曲げて縦線材１５や押さえ金具１２に引掛けて係止する接合などでもよく、そのような接合の場合は、ボルト接合による長孔はなくてもよい。
【００１５】
前記のフェンスパネル取り付け用金具１では、各側板２にアーム部８を備えている形態とされているが、フェンス横端部側の角形支柱に設置されるフェンスパネル取り付け用金具１では、アーム部8は片側にのみあればよいので、一方又は他方のアーム部８のうち、いずれか一方を備えていない形態としてもよい。
【００１６】
前記接続板３の溝４側の内側面は、角形支柱６の外側面に面接触可能な平坦面とされている。開口部５から接続板３の溝４側の内側面までの距離は、角形支柱６のＦ側からＢ側までの巾寸法よりも小さく、好ましくは、角形支柱６における周側面板７のＦ側外側面から、対向する周側面板７のＢ側外面側までの寸法から、前記周側面板７のＦ側の円弧状コーナー部のコーナー部半径寸法を差し引いた寸法分、小さい寸法とされている。もっとも、角形支柱６に円弧状のコーナー部を設けない場合には、周側面板７のＦ側からＢ側までの外側面間の距離よりも小さい寸法としておけばよい。
前記の側板２における接続板３側の基端部間の寸法は、角形支柱６の巾寸法よりも僅かに大きくされて、角形支柱６における背面側を面タッチさせた状態で確実に配置可能にされている。
【００１７】
前記の側板２とアーム部８との接続部１０（特に、溝４側の接続部１０）は、円弧状に接続する円弧状接続部１０とされ、その円弧状接続部１０の外面により、円弧状ガイド部が形成されており、フェンスパネル取り付け用金具１を角形支柱６に圧入するようにして取り付ける場合に、角形支柱６のコーナー部１１（例えば、円弧状コーナー部）の外面に係合して、案内されながら、角形支柱６に装着することができる。
多くの場合、横断面角形の角形支柱６の横断面角部のコーナー部は、断面円弧状のコーナー部であるため、このような場合には、両方の円弧状部によりガイドされながら、装着することも可能になる。
【００１８】
図９及び図１０の一部を拡大した図３を参照して、前記のようなフェンスパネル取り付け用金具１と組まれる押さえ金具１２の一実施形態について説明すると、押さえ金具１２は、帯状鋼板が曲げ加工されると共に穴明け加工がされて形成される。
前記の押さえ金具１２は、図示の形態では、角形支柱６の左右方向の巾寸法よりも僅かに間隔が大きい一対の短尺側板１３を接続板３′により一体に屈曲接続していると共に、短尺側板１３の両端部に、アーム部８を備え、各アーム部８に接合部９を備えている形態とされている。
前記の押さえ金具１２は、平板状の押さえ金具でも可能であるが、図示のように、アーム部８付きの溝形の形態とする方が、角形支柱６に対して、左右方向のずれを防止できる状態でセットできるため望ましい。
【００１９】
次に、前記のようなフェンスパネル取り付け用金具１を用いて、フェンスパネル１４を、角形支柱６に、直接又は間接的に取り付ける場合の工程について説明する。
図１に示すように、基礎（図９及び図１０参照）に立設された鋼製角パイプからなる角形支柱６に、フェンスパネル取り付け用金具１の溝４側の各側板２を押し付けて、各側板２を僅かに拡開するように弾性変形させて圧入して、各側板２により角形支柱６における対向する周側面板７の外側面を把持する。
【００２０】
前記のようにして、間隔をおいて隣り合う角形支柱６に対して、上下方向に間隔をおいて複数のフェンスパネル取り付け用金具１を装着する。
【００２１】
次いで、図２に示すように、フェンスパネル取り付け用金具１のアーム部８に、それぞれフェンスパネル１４の端部（図示の形態では、端部の縦線材１５）を当接すると共に、図３及び図９並びに図１０に示すように、角形支柱６とフェンスパネル１４の端部とを挟みこむように押さえ金具１２を、角形支柱６のＦ側に配置して、フェンスパネル取り付け用金具１と押さえ金具１２とに渡って、ボルト１６を挿通すると共にナット１７をねじ込んで、角形支柱６とフェンスパネル１４端部とを、フェンスパネル取り付け用金具１と押さえ金具１２とを把持して、フェンスパネル１４の端部を取り付ける。
【００２２】
前記のように、フェンスパネル取り付け用金具１を角形支柱６に取り付けるため、また、角形支柱６を用いているために、フェンスパネル取り付け用金具１は、角形支柱６の周りに回転することはなく、また、接続板３が角形支柱６の周側面板７に面タッチすることで、一層、フェンスパネル取り付け用金具１の回転が防止される。
【００２３】
図５及び図６に示すように、フェンスパネル取り付け用金具１における一方の側板２は、接続板３に対して直角に設けてもよいが、接続板３に対して直角な一方の側板２の角形支柱６に対する押圧力が分散されるため、図３に示される前記実施形態のほうが、望ましい。
【００２４】
図７に示すように、押さえ金具１２側における側板２´を前記の短尺側板１３よりも若干長くして、間隔をおいて対向する前記各側板２´の一方又は両方（図示の場合）を、前記溝４の開口部５に向って接近するように傾斜する側板２′とすると共に、フェンスパネル取り付け用金具１における側板２を若干短くして、フェンスパネル取り付け用金具１及び押さえ金具１２の両方とも、同様な構造とし、フェンスパネル１４を把持して角形支柱６に圧入設置するようにして、角形支柱６における対向する周側面板７を把持するようにしてもよい。
このような形態では、ボルト１６及びナット１７を取り付けたり、前記の接合形態を採用するようにすればよいので、一層、フェンスの設置作業が容易になる。
【００２５】
なお、本発明を実施する場合、フェンスパネル取り付け用金具１と押さえ金具１２の一端側のアーム部を省略する場合に、省略するアーム部に代えて、一方の側板に蟻溝を有する雌型係合部を設け、他方の側板に前記蟻溝に係合する雄型係合突起部を設け、蟻溝と雄型係合突起部を係合させるようにしてもよい。
【００２６】
なお、前記実施形態では、フェンスパネル取り付け用金具１におけるアーム部８にフェンスパネル１４端部を配置して押さえ金具１２により把持する形態、すなわち、フェンスパネル１４を角形支柱６の側部に配置する形態を示したが、本発明を実施する場合に、図１１に示すように、フェンスパネル１４を角形支柱６の前面側に配置するようにしてもよい。
前記のように、フェンスパネル１４を角形支柱６の前面に配置する形態には、角形支柱６と、その角形支柱６の前面に配置された隣り合うフェンスパネル１４の各端部又は中間部の縦線材１５（縦線材１５及び横線材３０）とを、フェンスパネル取り付け用金具１と押さえ金具１２及びボルト１６等により、把持するように締め付け固定することで、フェンスパネル１４を角形支柱６に取り付けることができる。
なお、フェンスパネル取り付け用金具１の開口部５から接続板３の内側面までの寸法を深くすることにより、角形支柱６の前面側にフェンスパネル１４を配置する場合に対応することができる。
【００２７】
なお、傾斜した側板２、２´を、角形支柱６の周側面板７に線タッチ、又は面タッチさせるようにしてもよいが、把持力を高める上では、線タッチに近い状態で把持させるようにするのが望ましい。
【００２８】
図９及びその一部を拡大した図８に示すように、フェンスパネル１４の上部に、胴縁部分１８を備えた形態の場合には、例えば、角形支柱６に基端部１９をボルト・ナット２５により固定した断面Ｌ形金物２０の水平先端部２１を、フェンスパネル１４における一対の横線材２２の下側を支承するように配置して、一対の係止溝２３を有する押さえ係止金具２４を、一対の横線材２２上に係止するように載置し、水平先端部２１と押さえ係止金具２４とをボルト・ナット２９により、フェンスパネル１４の胴縁部分１８の端部を支持するようにしてもよい。
前記のような断面Ｌ形金物２０を、間隔をおいて隣り合う一方の角形支柱６に予め固定しておくと、フェンスパネル１４の一端側の胴縁部分１８を支持した状態となるように横線材２２を断面Ｌ形金物２０に載置してからフェンスパネル１４を設置する作業とすることも可能になることから、設置作業が簡単になると共に、短工期で施工することができる。
【００２９】
本発明を実施する場合に、胴縁部分１８を備えていない形態のフェンスパネル１４を角形支柱６に取り付けるようにしてもよく、この場合には、前記の断面Ｌ形金物２０及びボルト・ナット２５を省略することができる。
【符号の説明】
【００３０】
１  フェンスパネル取り付け用金具
２  側板
２′側板
３  接続板
３′接続板
４  溝
５  開口部
６  角形支柱
７  周側面板
８  アーム部
９  接合部
１０  接続部（円弧状ガイド部）
１１  コーナー部
１２  押さえ金具
１３  短尺側板
１４  フェンスパネル
１５  縦線材
１６  ボルト
１７  ナット
１８  胴縁部分
１９  基端部
２０  断面Ｌ形金物
２１  水平先端部
２２  横線材
２３  係止溝
２４  押さえ係止金具
２５  ボルト・ナット
２６  受け金具
２７  側板
２８  押さえ金具
２９  ボルト・ナット
３０  横線材
【図１】
0005875774.tif 000002
【図２】
0005875774.tif 000003
【図３】
0005875774.tif 000004
【図４】
0005875774.tif 000005
【図５】
0005875774.tif 000006
【図６】
0005875774.tif 000007
【図７】
0005875774.tif 000008
【図８】
0005875774.tif 000009
【図９】
0005875774.tif 000010
【図１０】
0005875774.tif 000011
【図１１】
0005875774.tif 000012
【図１２】
0005875774.tif 000013